【手続補正書】
【提出日】平成22年1月21日(2010.1.21)
【手続補正１】
【補正対象書類名】特許請求の範囲
【補正対象項目名】全文
【補正方法】変更
【補正の内容】
【特許請求の範囲】
【請求項１】
薄膜トランジスタパネルと該薄膜トランジスタパネル上に対向配置された対向パネルとがシール材を介して貼り合わされ、前記シール材の内側における前記両パネル間に液晶が封入され、前記薄膜トランジスタパネル下にバックライトが配置された液晶表示装置において、
前記薄膜トランジスタパネルは、
薄膜トランジスタ基板と、
前記薄膜トランジスタ基板上に設けられ、ゲート電極、ソース電極およびドレイン電
極を有する薄膜トランジスタと、
前記薄膜トランジスタ基板上に設けられ、前記ゲート電極に接続された走査ラインと
、
前記薄膜トランジスタ基板上に設けられ、前記ドレイン電極に接続されたデータライ
ンと、
前記薄膜トランジスタ基板上に設けられ、前記ソース電極に接続された画素電極と、
を備え、
前記薄膜トランジスタ基板上において少なくとも前記走査ライン下および前記データ
ライン下に反射膜が設けられている
ことを特徴とする液晶表示装置。
【請求項２】
請求項１に記載の発明において、
前記各反射膜は前記薄膜トランジスタ基板の上面に互いに連続して設けられている
ことを特徴とする液晶表示装置。
【請求項３】
請求項１に記載の発明において、
前記各反射膜は前記薄膜トランジスタ基板の上面に互いに分離して設けられている
ことを特徴とする液晶表示装置。
【請求項４】
請求項３に記載の発明において、
前記薄膜トランジスタは逆スタガ型であり、前記走査ラインはそれに対応する前記反射膜の上面に設けられている
ことを特徴とする液晶表示装置。
【請求項５】
請求項４に記載の発明において、
前記ゲート電極下における前記薄膜トランジスタ基板の上面に反射膜が設けられ、前記
ゲート電極は当該反射膜の上面に設けられている
ことを特徴とする液晶表示装置。
【請求項６】
請求項３に記載の発明において、
前記薄膜トランジスタはスタガ型であり、前記データラインはそれに対応する前記反射
膜の上面に設けられている
ことを特徴とする液晶表示装置。
【請求項７】
請求項６に記載の発明において、
前記ソース電極下および前記ドレイン電極下における前記薄膜トランジスタ基板の上面
に反射膜が設けられ、前記ソース電極および前記ドレイン電極は当該各反射膜の上面に
設けられている
ことを特徴とする液晶表示装置。
【請求項８】
請求項１に記載の発明において、
前記薄膜トランジスタ基板上に補助容量ラインが設けられ、前記補助容量ライン下にお
ける前記薄膜トランジスタ基板の上面に反射膜が前記各反射膜と連続して設けられてい
る
ことを特徴とする液晶表示装置。
【請求項９】
請求項１に記載の発明において、
前記薄膜トランジスタ基板上に補助容量ラインが設けられ、前記補助容量ライン下にお
ける前記薄膜トランジスタ基板の上面に反射膜が前記各反射膜と分離して設けられてい
る
ことを特徴とする液晶表示装置。
【請求項１０】
請求項９に記載の発明において、
前記薄膜トランジスタは逆スタガ型であり、前記補助容量ラインはそれに対応する前記
反射膜の上面に設けられている
ことを特徴とする液晶表示装置。
【請求項１１】
薄膜トランジスタパネルと該薄膜トランジスタパネル上に対向配置された対向パネルとがシール材を介して貼り合わされ、前記シール材の内側における前記両パネル間に液晶が封入され、前記薄膜トランジスタパネル下にバックライトが配置された液晶表示装置において、
前記薄膜トランジスタパネルは、
薄膜トランジスタ基板と、
前記薄膜トランジスタ基板上に設けられ、ゲート電極、ソース電極およびドレイン電
極を有する薄膜トランジスタと、
前記薄膜トランジスタ基板上に設けられ、前記ゲート電極に接続された走査ラインと
、
前記薄膜トランジスタ基板上に設けられ、前記ドレイン電極に接続されたデータライ
ンと、
前記薄膜トランジスタ基板上に設けられ、前記ソース電極に接続された画素電極と、
を備え、
前記薄膜トランジスタは逆スタガ型であり、
前記薄膜トランジスタ基板の上面に反射膜を兼ねた前記ゲート電極および前記走査ラ
インが設けられ、且つ、少なくとも前記データライン下における前記薄膜トランジス
タ基板の上面に反射膜が設けられている
ことを特徴とする液晶表示装置。
【請求項１２】
請求項１１に記載の発明において、
前記薄膜トランジスタ基板の上面に反射膜を兼ねた補助容量ラインが設けられている
ことを特徴とする液晶表示装置。
【請求項１３】
薄膜トランジスタパネルと該薄膜トランジスタパネル上に対向配置された対向パネルとがシール材を介して貼り合わされ、前記シール材の内側における前記両パネル間に液晶が封入され、前記薄膜トランジスタパネル下にバックライトが配置された液晶表示装置において、
前記薄膜トランジスタパネルは、
薄膜トランジスタ基板と、
前記薄膜トランジスタ基板上に設けられ、ゲート電極、ソース電極およびドレイン電
極を有する薄膜トランジスタと、
前記薄膜トランジスタ基板上に設けられ、前記ゲート電極に接続された走査ラインと
、
前記薄膜トランジスタ基板上に設けられ、前記ドレイン電極に接続されたデータライ
ンと、
前記薄膜トランジスタ基板上に設けられ、前記ソース電極に接続された画素電極と、
を備え、
前記薄膜トランジスタはスタガ型であり、
前記薄膜トランジスタ基板の上面に反射膜を兼ねた前記ソース電極、前記ドレイン電
極および前記データラインが設けられ、且つ、少なくとも前記走査ライン下における
前記薄膜トランジスタ基板の上面に反射膜が設けられている
ことを特徴とする液晶表示装置。
【請求項１４】
請求項１３に記載の発明において、
前記薄膜トランジスタ基板上に絶縁膜を介して補助容量ラインが設けられ、前記補助容
量ライン下における前記薄膜トランジスタ基板の上面に反射膜が設けられている
ことを特徴とする液晶表示装置。
【手続補正２】
【補正対象書類名】明細書
【補正対象項目名】０００９
【補正方法】変更
【補正の内容】
【０００９】
請求項１に記載の発明は、薄膜トランジスタパネルと該薄膜トランジスタパネル上に対向配置された対向パネルとがシール材を介して貼り合わされ、前記シール材の内側における前記両パネル間に液晶が封入され、前記薄膜トランジスタパネル下にバックライトが配置された液晶表示装置において、前記薄膜トランジスタパネルは、薄膜トランジスタ基板と、前記薄膜トランジスタ基板上に設けられ、ゲート電極、ソース電極およびドレイン電極を有する薄膜トランジスタと、前記薄膜トランジスタ基板上に設けられ、前記ゲート電極に接続された走査ラインと、前記薄膜トランジスタ基板上に設けられ、前記ドレイン電極に接続されたデータラインと、前記薄膜トランジスタ基板上に設けられ、前記ソース電極に接続された画素電極と、を備え、前記薄膜トランジスタ基板上において少なくとも前記走査ライン下および前記データライン下に反射膜が設けられていることを特徴とするものである。
請求項２に記載の発明は、請求項１に記載の発明において、前記各反射膜は前記薄膜トランジスタ基板の上面に互いに連続して設けられていることを特徴とするものである。
請求項３に記載の発明は、請求項１に記載の発明において、前記各反射膜は前記薄膜トランジスタ基板の上面に互いに分離して設けられていることを特徴とするものである。
請求項４に記載の発明は、請求項３に記載の発明において、前記薄膜トランジスタは逆スタガ型であり、前記走査ラインはそれに対応する前記反射膜の上面に設けられていることを特徴とするものである。
請求項５に記載の発明は、請求項４に記載の発明において、前記ゲート電極下における前記薄膜トランジスタ基板の上面に反射膜が設けられ、前記ゲート電極は当該反射膜の上面に設けられていることを特徴とするものである。
請求項６に記載の発明は、請求項３に記載の発明において、前記薄膜トランジスタはスタガ型であり、前記データラインはそれに対応する前記反射膜の上面に設けられていることを特徴とするものである。
請求項７に記載の発明は、請求項６に記載の発明において、前記ソース電極下および前記ドレイン電極下における前記薄膜トランジスタ基板の上面に反射膜が設けられ、前記ソース電極および前記ドレイン電極は当該各反射膜の上面に設けられていることを特徴とするものである。
請求項８に記載の発明は、請求項１に記載の発明において、前記薄膜トランジスタ基板上に補助容量ラインが設けられ、前記補助容量ライン下における前記薄膜トランジスタ基板の上面に反射膜が前記各反射膜と連続して設けられていることを特徴とするものである。
請求項９に記載の発明は、請求項１に記載の発明において、前記薄膜トランジスタ基板上に補助容量ラインが設けられ、前記補助容量ライン下における前記薄膜トランジスタ基板の上面に反射膜が前記各反射膜と分離して設けられていることを特徴とするものである。
請求項１０に記載の発明は、請求項９に記載の発明において、前記薄膜トランジスタは逆スタガ型であり、前記補助容量ラインはそれに対応する前記反射膜の上面に設けられていることを特徴とするものである。
請求項１１に記載の発明は、薄膜トランジスタパネルと該薄膜トランジスタパネル上に対向配置された対向パネルとがシール材を介して貼り合わされ、前記シール材の内側における前記両パネル間に液晶が封入され、前記薄膜トランジスタパネル下にバックライトが配置された液晶表示装置において、前記薄膜トランジスタパネルは、薄膜トランジスタ基板と、前記薄膜トランジスタ基板上に設けられ、ゲート電極、ソース電極およびドレイン電極を有する薄膜トランジスタと、前記薄膜トランジスタ基板上に設けられ、前記ゲート電極に接続された走査ラインと、前記薄膜トランジスタ基板上に設けられ、前記ドレイン電極に接続されたデータラインと、前記薄膜トランジスタ基板上に設けられ、前記ソース電極に接続された画素電極と、を備え、前記薄膜トランジスタは逆スタガ型であり、前記薄膜トランジスタ基板の上面に反射膜を兼ねた前記ゲート電極および前記走査ラインが設けられ、且つ、少なくとも前記データライン下における前記薄膜トランジスタ基板の上面に反射膜が設けられていることを特徴とするものである。
請求項１２に記載の発明は、請求項１１に記載の発明において、前記薄膜トランジスタ基板の上面に反射膜を兼ねた補助容量ラインが設けられていることを特徴とするものである。
請求項１３に記載の発明は、薄膜トランジスタパネルと該薄膜トランジスタパネル上に対向配置された対向パネルとがシール材を介して貼り合わされ、前記シール材の内側における前記両パネル間に液晶が封入され、前記薄膜トランジスタパネル下にバックライトが配置された液晶表示装置において、前記薄膜トランジスタパネルは、薄膜トランジスタ基板と、前記薄膜トランジスタ基板上に設けられ、ゲート電極、ソース電極およびドレイン電極を有する薄膜トランジスタと、前記薄膜トランジスタ基板上に設けられ、前記ゲート電極に接続された走査ラインと、前記薄膜トランジスタ基板上に設けられ、前記ドレイン電極に接続されたデータラインと、前記薄膜トランジスタ基板上に設けられ、前記ソース電極に接続された画素電極と、を備え、前記薄膜トランジスタはスタガ型であり、前記薄膜トランジスタ基板の上面に反射膜を兼ねた前記ソース電極、前記ドレイン電極および前記データラインが設けられ、且つ、少なくとも前記走査ライン下における前記薄膜トランジスタ基板の上面に反射膜が設けられていることを特徴とするものである。
請求項１４に記載の発明は、請求項１３に記載の発明において、前記薄膜トランジスタ基板上に絶縁膜を介して補助容量ラインが設けられ、前記補助容量ライン下における前記薄膜トランジスタ基板の上面に反射膜が設けられていることを特徴とするものである。